(57)【特許請求の範囲】
【請求項１】
植木鉢の外側面に付設される看板部材であって、当該看板部材上端と一体化され前記植木鉢の内面形状に対応して植木鉢底面まで届く長さを有する長尺な板からなり、断面Ｌ状に折曲形成されたブラケットと、前記植木鉢底面に配され前記ブラケットの底面側の先端部分と連結される長板とによって、前記植木鉢側面に付設されるようにしたことを特徴とする看板部材。
【請求項２】
ブラケットが当該看板部材とともに一体に形成されていることを特徴とする請求項１記載の看板部材。
【請求項３】
当該看板部材には２本のブラケットが取り付けられ、これら２本のブラケットの底面側の先端部分が長板に連結されていることを特徴とする請求項１記載の看板部材。
【発明の詳細な説明】
【技術分野】
本発明は、会社名や商品名などの文字や模様、絵あるいはキャラクターなどを描いた看板部材を植木鉢外側面に付設して植木鉢に表示機能や伝達機能を付加して付加価値を高めることができる看板部材に関する。
【背景技術】
近年、自然保護が重要視されるとともに、ナチュラル志向の高まりから、積極的に緑化が進められるようになり、公共施設、歩道や道路の中央分離帯など様々な場所に樹木や草花が植えられるようになった。
また、土壌を敷くことのできない場所やイベント会場には、草花を植え込んだ植木鉢を置いて、その緑化が計られている。具体的には道路や橋の欄干、ガードレールやロープ、フェンスや壁に草花を植え込んだ植木鉢を吊り下げたり、道路と歩道とを区切る縁石や塀の上に草花を植え込んだ植木鉢を置いたりして緑化が計られている。
イベント会場や公共施設、道路などは、人や車の往来が多い。このため、このような場所に吊り下げられたり置かれたりする植木鉢や植木鉢を移動しないように係止する植木鉢保持具に、会社名や商品名などの文字や模様、絵あるいはキャラクターなどを描いた看板部材を付設することは、より多くの人に看板内容を伝達できる点できわめて有効である。
【発明の開示】
【発明が解決しようとする課題】
ところが、従来、植木鉢または植木鉢を移動しないように係止する植木鉢保持具に看板部材を付設したものは無かった。
本発明の目的は、会社名や商品名などの文字や模様、絵あるいはキャラクターなどを描いた看板部材を植木鉢外側面に付設して植木鉢に表示機能や伝達機能を付加して付加価値を高めることができる看板部材を提供することである。
【課題を解決するための手段】
上記目的を達成するため、請求項１記載の発明は、植木鉢の外側面に付設される看板部材であって、当該看板部材上端と一体化され前記植木鉢の内面形状に対応して植木鉢底面まで届く長さを有する長尺な板からなり、断面Ｌ状に折曲形成されたブラケットと、前記植木鉢底面に配され前記ブラケットの底面側の先端部分と連結される長板とによって、前記植木鉢側面に付設されるようにしたことを特徴とする看板部材をその要旨とした。
請求項２記載の発明は、ブラケットが当該看板部材とともに一体に形成されていることを特徴とする請求項１記載の看板部材をその要旨とした。
請求項３記載の発明は、当該看板部材には２本のブラケットが取り付けられ、これら２本のブラケットの底面側の先端部分が長板に連結されていることを特徴とする請求項１記載の看板部材をその要旨とした。
尚、上記各請求項に係る発明における植木鉢には、植木鉢のほか、プランター、盆栽の皿などが含まれる。
【発明を実施するための最良の形態】
以下、本発明の看板部材を図面に従って詳しく説明する。本発明における植木鉢には、植木鉢のほか、プランター、盆栽の皿などが含まれる。図１および図２に示す植木鉢は、いずれも箱形をなすプランターＰである。各図に示すプランターＰは、いずれも振動や接触などによっても容易に落下したり、ずれたりしないよう、植木鉢保持具によって係止されている。
植木鉢保持具１１は、箱状に形成されたプランターＰを受けて移動しないようにこれを係止する受け部１２と、ガードレール、ロープ、橋の欄干、ベランダ、階段の手摺りなどの被吊下部Ｇに係止して前記受け部１２を吊り下げる取付部１３とからなる。
受け部１２は、長尺な金属板（プラスチックでも良い。）をＬ状に折曲形成した一対のＬ型部材（Ｌ状に成形したプラスチック板でも良い。）から構成されている。各Ｌ型部材は、底辺部分１２ａと、底辺部分１２ａを底辺としてプランターＰの側面形状に対応して傾斜する側辺部分１２ｂとからなる。尚、この形態の場合、被吊下部Ｇ側の側辺部分１２ｂは傾斜しないで、底辺部分１２ａから垂直に起立している。また、被吊下部Ｇ側の側辺部分１２ｂ端部には延設部１２ｅが直角に折曲形成されている。
また、前記各底辺部分１２ａには長孔１２ｃが形成されており、各底辺部分１２ａをプランターＰの幅に対応した重合幅で上下に重合させ、長孔１２ｃにボルト１２ｄを貫通させてネジ止めすることで、各側辺部分１２ｂがプランターＰに係止してその移動が規制されるようになっている。
また、前記垂直に起立する側辺部分１２ｂには、被吊下部Ｇの高さ若しくはそれ以上の長さに設けた傾倒防止用長板１５がネジ１６によってネジ止めされており、傾倒防止用長板１５が被吊下部Ｇの下部に当接して、当該植木鉢保持具１１が傾倒しないようになっている。
取付部１３は、長尺な金属板（プラスチックでも良い。）をＬ状に折曲形成したＬ型部材（Ｌ状に成形したプラスチック板でも良い。）から構成されている。そして、Ｌ型部材の底辺部分１３ａを上面とし、この上面と前記受け部１２の側辺部分１２ｂ端部の延設部１２ｅとを被吊下部Ｇ上で同被吊下部Ｇの幅に対応した重合幅で上下に重合させて挟み込み、延設部１２ｅに形成した長孔（図示しない）とＬ型部材の底辺部分１３ａに形成した長孔１３ｃにボルト１３ｄを貫通させてネジ止めすることで、取付部１３が被吊下部Ｇに係合して前記受け部１２を吊り下げるようになっている。
図１及び図２に示す看板部材１４は、看板部材１４は平板状をなしており、その上端は断面Ｌ型に曲折され、曲折された面１４ａには長溝１４ｂが形成されている。看板面には、例えば会社名や商品名などの文字や模様、絵あるいはキャラクターなど所望の図柄が描かれている。
この看板部材１４が当該看板部材上端と一体化され前記植木鉢の内面形状に対応して植木鉢底面まで届く長さを有するブラケットと、前記植木鉢底面に配され前記ブラケットの底面側の先端部分と連結される長板とによって、前記植木鉢外側面に付設されるようになっている。
看板部材１４には２本の断面Ｌ状のブラケット１７が取り付けられている。すなわち、看板部材１４に断面Ｌ状のブラケット１７を互いに折り曲げ方向となるように向かい合わせ、ブラケット１７の上面１７ａに看板部材１４の曲折された面１４ａを重合し、ブラケット１７の上面１７ａに形成した長孔１７ｃと看板部材１４の曲折された面１４ａに形成した長溝１４ｂとを合わせ、これにボルト１９を通してネジ止めして固定する。こうして看板部材１４上端には、ブラケット１７の側面１７ｂとによってコ字型部分１８が造られる。
図１及び図２に示す形態では、この看板部材１４上端に造られたコ字型部分１８を植木鉢保持具１１の受け部１２によって係止されているプランターＰの上縁に引っかけることで、看板部材１４のプランターＰ外側面への付設がなされるようになっている。
ブラケット１７は、長尺な金属板（プラスチックでも良い。）を折曲形成して、側面１７ｂがプランターＰの底面にまで届く長さに延設され、かつ前記プランターＰの内面形状に対応して形成されている。
図１に示すように、ブラケット１７の側面１７ｂはプランターＰの底面にまで延びていて、この上に土が入れられるので、その重みによって看板部材１４は容易にずれたり、外れたりしない様に確実に付設されることになる。
また、プランターＰの底面にまで延びる２本のブラケット１７の側面１７ｂは、先端部分で金属板（プラスチックでも良い。）からなる長板１７ｅに連結されていて、この部分が土中にあってアンカー的な役割を果たし、より確実な付設状態となっている。
尚、図面は、ブラケット１７の側面１７ｂがプランターＰ底面にまで延びているが、ブラケット１７の側面１７ｂの延設長さは、プランターＰの大きさに応じて、ブラケット１７の側面１７ｂが土で埋まるプランターＰの側面まで延ばすなど、自由に決定することができる。
以上、図１および図２に示す形態に従って、植木鉢（プランターＰ）外側面に付設した看板部材の例を説明したが、例えばブラケットを用いないで、看板部材上端をコ字状に折曲形成して、これをプランター上縁に引っかけるようにすることもできる。また、看板部材上端を図４及び図５に示すようなブラケットのような形状に折曲形成することもできる。
尚、図３に示すように、看板部材１４は、複数のプランターＰに跨って付設することもできる。
尚、本発明は、上述の図１〜図３に示す例に限定されるものではなく、例えば、植木鉢保持具１１を用いず、台上に置かれた複数の植木鉢に跨って看板部材を付設したりするなど、特許請求の範囲の欄に示された範囲内で自由に変更することができる。
産業上の利用可能性
本発明の看板部材にあっては、これらに会社名や商品名などの文字や模様、絵あるいはキャラクターなどを描いた看板部材を付設したことにより、表示機能や伝達機能が付加されて、より付加価値の高い植木鉢とすることができる。
【図面の簡単な説明】
【図１】図１は、被吊下部に吊り下げた植木鉢保持具の受け部に係止したプランター上縁に看板部材を付設した別例を示す断面図である。
【図２】図２は、同じく図１に示す例の要部拡大平面図である。
【図３】図３は、複数のプランターに看板部材を付設した例を示す断面図である。
【図１】
0003574926.tif 000002
【図２】
0003574926.tif 000003
【図３】
0003574926.tif 000004